(57)【要約】【課題】容易に着脱を行うことができる被介護者用ズボンを提供する。【解決手段】  被介護者用ズボン(1)の一方のズボン前片(4)の一方の縁部(4a)と一方のズボン後片(6)の一方の縁部(6a)との間、一方のズボン前片(4)の他方の縁部(4b)と一方のズボン後片(6)の他方の縁部(6b)との間及び他方のズボン前片(5)の他方の縁部(5b)と他方のズボン後片(7)の他方の縁部(7b)との間を第１の接合分離手段(10,11,24,25)及び第２の接合分離手段(12,26,27)によって容易に接合又は分離することができる。また、接合手段に沿って前布(2)と後布(3)とを重ね又は分離することにより、前布(2)と後布(3)とを平面展開状態に開放して、被介護者用ズボンを容易に着用し又は脱衣することができる。【選択図】  図２
0003111017.tif 000002
【実用新案登録請求の範囲】
【請求項１】
一方のズボン前片、他方のズボン前片及び一方のズボン前片の上部と他方のズボン前片の上部とを接続する腹連結部を有する前布と、一方のズボン後片、他方のズボン後片及び一方のズボン後片の上部と他方のズボン後片の上部とを接続する背連結部とを有する後布とを備える被介護者用ズボンにおいて、
一方のズボン前片の一方の縁部と一方のズボン後片の一方の縁部との間を全長さに沿って第１の接合分離手段により分離可能に接合し、
他方のズボン前片の一方の縁部と他方のズボン後片の一方の縁部との間を全長さに沿って接合手段により接合し、
一方のズボン前片の他方の縁部と一方のズボン後片の他方の縁部との間及び他方のズボン前片の他方の縁部と他方のズボン後片の他方の縁部との間を第２の接合分離手段により何れも分離可能に接合したことを特徴とする被介護者用ズボン。
【請求項２】
第１の接合分離手段は、一方のズボン前片の一方の縁部に設けられた第１のファスナと、一方のズボン後片の一方の縁部に設けられた第２のファスナと、第１のファスナ及び第２のファスナを分離可能に接合する外側スライダとを備え、
第２の接合分離手段は、一方のズボン前片の他方の縁部と他方のズボン前片の他方の縁部とに設けられた第３のファスナと、一方のズボン後片の他方の縁部と他方のズボン後片の他方の縁部とに設けられた第４のファスナと、第３のファスナ及び第４のファスナを分離可能に接合する内側スライダとを備えた請求項１に記載の被介護者用ズボン。
【請求項３】
第３のファスナは、一方のズボン前片の他方の縁部と他方のズボン前片の他方の縁部とに連続的に設けられ、
第４のファスナは、一方のズボン後片の他方の縁部と他方のズボン後片の他方の縁部とに連続的に設けられ、
単一の内側スライダにより第３のファスナと第４のファスナとを分離可能に接合する請求項２に記載の被介護者用ズボン。
【請求項４】
第３のファスナは、一方のズボン前片の他方の縁部に設けられた第１の第３のファスナと、他方のズボン前片の他方の縁部に設けられた第２の第３のファスナとを備え、
第４のファスナは、一方のズボン後片の他方の縁部に設けられた第１の第４のファスナと、他方のズボン後片の他方の縁部に設けられた第２の第４のファスナとを備え、
内側スライダは、第１の第３のファスナと第１の第４のファスナとを分離可能に接合する第１の内側スライダと、第２の第３のファスナと第２の第４のファスナとを分離可能に接合する第２の内側スライダとを備えた請求項２に記載の被介護者用ズボン。
【請求項５】
外側スライダは、第１のファスナと第２のファスナの上部及び下部をそれぞれ分離可能に接合する上方スライダと下方スライダとを有する請求項２に記載の被介護者用ズボン。
【請求項６】
上方スライダ及び下方スライダの何れかにより第１のファスナと第２のファスナの下部及び上部を上方及び下方に部分的に接合し又は部分的に分離でき、
第１のファスナと第２のファスナの上端及び下端の少なくとも一方で完全に分離できる請求項５に記載の被介護者用ズボン。
【請求項７】
前布と後布の上部にベルト部を取り付け、ベルト部の両端を互いに分離可能に接続する接続具を設けた請求項１〜６の何れか１項に記載の被介護者用ズボン。
【考案の詳細な説明】
【技術分野】
【０００１】
本考案は、容易に着用し脱衣できる被介護者用ズボンに関するものである。
【背景技術】
【０００２】
在宅で寝たきりの人又は入院患者が着衣を脱着する際に介護することは、短期長期にかかわらず、多くの労苦を必要とする。例えば、下記特許文献１は、袖無し上衣と筒状の両袖部分からなる２種類の上衣からなり、それぞれの上側部分をホックで前身ごろと後身ごろを完全に展開可能にし、又ズボンの両わきと両足部分の内側の上部をホックで取り外せるようにすることで、前身ごろと後身ごろを展開できるようにし、両袖部分からなる上衣はズボンと組み合わせパジャマとして、袖無し上衣は必要に応じて着られる介護服を示す。
【０００３】
下記特許文献２は、上着とズボンに複数のファスナと複数の面ファスナを各々に着脱可能に設け尚全体構成に於いて、ポケット付き前胸当て布が、スペアとしていつでも着脱ができるように、係設配備して成る介護ウエアを示す。この介護ウエアは、軽度の障害者から要介護状態の方々の着用を目的として上着本体とズボン本体とから成り、上着本体は、前脇身頃胸部から袖口数センチ手前までファスナを開口自在に左右に設け、尚取り替えのきく前胸あて布と前脇身頃の接触面に、押し付けるだけで簡単に密着する面ファスナを複数個所に配設固定する。また、ズボン本体は、前中央から数センチ脇に当たるウエスト中心から数センチ脇よりの所より、足首数センチ手前までファスナを開口自在に左右に設け、尚後ズボンと前ズボンがウエストで係止固着させる接触面に、押し付けるだけで簡単に密着する面ファスナを配設固定した構成から成る取り換えのきく前胸あて布が上着本体の両前脇身頃に面ファスナで着脱自在に設けられる。
【０００４】
下記特許文献３は、痴呆やねたきり患者用介護服で、着脱させやすく介護内容にあわせて部分的な開放も無理なく行える構造とし、腕が硬直して曲がった患者に対しても着脱の際の袖通しがスムーズに行え、栄養摂取や排尿などのための医療チューブの処哩も考慮し、安全かつ清潔感とファッション性のある介護服を示す。この介護服は、上下つなぎで、ネックライン、左足裾線、右足裾線のそれぞれから胸部に配置したファスナ寄せに向かって閉じられるように３本のオープンファスナを取り付け、ファスナ寄せの部分には、ファスナ隠しを設け、袖付寸法を袖口寸法に比べて大きな比率にとり、栄養摂取や排尿などのための医療チューブの引込口が後身頃の左右に設けられる。
【０００５】
下記特許文献４は、介護人を補佐でき、要介護人の障害を補填しながら着脱と、患部の手当てが容易にできる介護服及び被介護者用ズボン＆介護用スカートを示す。この介護用スカートは、前後袖山に変化をつけた開閉式の袖付けと、肩あきを作り前面、背面、側面が容易に露出できるようにし、肩あきは片手で開閉できるように磁気を使用する。略方形状の二枚の布縦端に、一対の全開ファスナを縫いつけ、ファスナの組み合わせ方でズボン＆スカートを構成する。
【０００６】
下記特許文献５は、被介護者による着脱が容易でありかつ腕が通る袖口端で皮膚がファスナ端に当たって擦れることを回避する上下繋ぎ式の介護服を示す。この介護服は、脇部ファスナと股部ファスナとで介護服を大きく開いて簡単に着脱でき、被介護者の肘と袖口端までの中間位置をファスナの明き止まり部としてファスナが袖口端まで至らない。
【０００７】
下記特許文献６は、被介護者用ズボンの上着の前身頃の縦方向に延伸する各脇合わせ縁部と上着の後見頃の縦方向に延伸する脇合わせ縁部との間及び各袖部の一対の側縁との間を開閉する上着開閉手段を設けて、容易に着脱できる介護用衣服を示す。この介護用衣服は、上着開閉手段が胴部と袖部との間に隠れて、外観上上着開閉手段を直ちに目視できず、来客用又は外出用衣服として使用できる。また、閉鎖した上着開閉手段を再閉鎖可能に完全に開放して、前身頃の脇合わせ縁部と後見頃の脇合わせ縁部とを分離しかつ袖部の一対の側縁を分離できるので、介護衣服として容易に着脱することができる。
【０００８】
【特許文献１】実用新案登録第３,０６６,４５６号公報
【特許文献２】実用新案登録第３,０６６,２５２号公報
【特許文献３】特開平１１−６１５２２号公報
【特許文献４】特開２００１−３０３３２１公報
【特許文献５】特開２００１−２６２４１０公報
【特許文献６】実用新案登録第３,１０３,４６２号公報
【考案の開示】
【考案が解決しようとする課題】
【０００９】
ところで、容易かつ迅速に着用及び脱衣できる被介護者用ズボンは、従来提案されていなかった。例えば、特許文献１、特許文献２及び特許文献４は、上端から下方に向かってホックにより部分的に前布と後布とを分離するズボンを示すが、この構造では、前布と後布とを平面展開状態に開放できず、被介護者が足をズボンの各足袋内にそれぞれ挿入し又は足袋から抜き出さなければなければならないので、ズボンを容易に履き又は脱ぐことができない。
【００１０】
特許文献３は、上着とズボンとを組み合わせた介護服を示し、ズボンのみを単独で着て、異なる上着と組み合わせることができない。また、特許文献３の図１１に示される上下全開きとなる従来の介護服は、サイドファスナが介護服の全面に設けられるため、股下に介護ズボンの前部を配置した状態で介護ズボンを着用しなければならないから、容易に着用することができない上、サイドファスナが介護服の正面に現れるので、デザイン上も好ましいとはいえない。
【００１１】
特許文献５は、上着とズボンとを一体化したコンビネーションタイプの介護服を示す。この介護服も上着と一緒に着用しなければならず、異なる上着を別途選択することはできない。また、両サイドと両内股部とに設けられる４つのファスナを開閉しなければ、介護服を着脱することができない欠点がある。
【００１２】
特許文献６に示されるズボンは、股下部を開放できないため、着脱を容易に行うことができない。
【００１３】
本考案は、容易に着用し脱衣できる被介護者用ズボンを提供することを目的とする。
【課題を解決するための手段】
【００１４】
本考案による被介護者用ズボンは、一方のズボン前片(4)、他方のズボン前片(5)及び一方のズボン前片(4)の上部と他方のズボン前片(5)の上部とを接続する腹連結部(8)を有する前布(2)と、一方のズボン後片(6)、他方のズボン後片(7)及び一方のズボン後片(6)の上部と他方のズボン後片(7)の上部とを接続する背連結部(9)とを有する後布(3)とを備えている。一方のズボン前片(4)の一方の縁部(4a)と一方のズボン後片(6)の一方の縁部(6a)との間を全長さに沿って第１の接合分離手段(10,11,24,25)により分離可能に接合し、他方のズボン前片(5)の一方の縁部(5a)と他方のズボン後片(7)の一方の縁部(7a)との間を全長さに沿って接合手段により接合する。また、一方のズボン前片(4)の他方の縁部(4b)と一方のズボン後片(6)の他方の縁部(6b)との間及び他方のズボン前片(5)の他方の縁部(5b)と他方のズボン後片(7)の他方の縁部(7b)との間を第２の接合分離手段(12,26,27)により何れも分離可能に接合する。第１の接合分離手段(10,11,24,25)及び第２の接合分離手段(12,26,27)によって一方のズボン前片(4)の一方の縁部(4a)と一方のズボン後片(6)の一方の縁部(6a)との間、一方のズボン前片(4)の他方の縁部(4b)と一方のズボン後片(6)の他方の縁部(6b)との間及び他方のズボン前片(5)の他方の縁部(5b)と他方のズボン後片(7)の他方の縁部(7b)との間を容易に接合又は分離することができる。また、接合手段に沿って前布(2)と後布(3)とを重ね又は分離することにより、前布(2)と後布(3)とを平面展開状態に開放して、被介護者用ズボンを容易に着用し又は脱衣することができる。
【考案の効果】
【００１５】
被介護者用ズボンの着用及び脱衣を容易に行えるため、被介護者による着脱動作又は介護者による着脱介護動作の困難性を軽減することができる。
【考案を実施するための最良の形態】
【００１６】
以下、本考案による被介護者用ズボンを図１〜図３について説明する。
本考案による被介護者用ズボン(1)は、図２に示すように、前布(2)と、前布(2)に重ね合わされる後布(3)と、前布(2)と後布(3)の上部に取り付けられたベルト部(14)と、ベルト部(14)の両端を互いに分離可能に接続する接続具(15,16)とを備えている。前布(2)は、一方のズボン前片(4)、他方のズボン前片(5)及び一方のズボン前片(4)の上部と他方のズボン前片(5)の上部とに設けられた腹連結部(8)を有する。同様に、後布(3)は、一方のズボン後片(6)、他方のズボン後片(7)及び一方のズボン後片(6)の上部と他方のズボン後片(7)の上部とに設けられた背連結部(9)とを有する。一方のズボン前片(4)の一方の縁部(4a)と一方のズボン後片(6)の一方の縁部(6a)との間を全長さに沿って分離可能に接合する第１のファスナ(24)が一方のズボン前片(4)の一方の縁部(4a)に設けられ、第２のファスナ(25)が一方のズボン後片(6)の一方の縁部(6a)に設けられる。接続具(15,16)は、ベルト部(14)の両端部に固着されたマジックテープ（登録商標）を使用できるが、マジックテープ（登録商標）の代わりにホックとホック受を使用してもよい。
【００１７】
図示の実施の形態では、第１のファスナ(24)と第２のファスナ(25)は、第２のファスナ(25)に取り付けられる２つのスライダ(10,11)により分離可能に接合されるオープンファスナである。スライダ(10,11)、第１のファスナ(24)及び第２のファスナ(25)は、第１の接合分離手段を構成する。即ち、上方スライダ(10)と下方スライダ(11)とを第２のファスナ(25)の上端に移動して、第１のファスナ(24)の上端を下方スライダ(11)及び上方スライダ(10)内に挿入した後、下方スライダ(11)のみを下方に移動すると、第１のファスナ(24)と第２のファスナ(25)とを長さ方向に接合することができ、下方スライダ(11)を下端まで移動すれば、第１のファスナ(24)と第２のファスナ(25)とを長さ方向に完全に接合することができる。この場合に、上方スライダ(10)を下方に移動し又は下方スライダ(11)を上方に移動することにより、第１のファスナ(24)と第２のファスナ(25)との上部又は下部を部分的に開放することができる。下方スライダ(11)を上方に移動して、第１のファスナ(24)と第２のファスナ(25)とを上方に開放しながら、上方スライダ(10)に連結して、第１のファスナ(24)の上端を上方スライダ(10)及び下方スライダ(11)から抜き取れば、図２に示すように、第１のファスナ(24)と第２のファスナ(25)とを完全に開放することができる。
【００１８】
このように、一方のズボン前片(4)の一方の縁部(4a)と一方のズボン後片(6)の一方の縁部(6a)を第１のファスナ(24)及び第２のファスナ(25)の上端で完全に接合を解除できるが、上端でなく、第１のファスナ(24)及び第２のファスナ(25)の下端又は上端と下端の両方で、接合を解除するように構成してもよい。また、一方のズボン前片(4)の一方の縁部(4a)と一方のズボン後片(6)の一方の縁部(6a)との接合を２つのスライダ(10,11)により行う代わりに、単一のスライダにより開閉及び接合解除を行ってもよいが、この場合は、第１のファスナ(24)及び第２のファスナ(25)の上端及び下端を同時に部分的開放することはできない。
【００１９】
一方のズボン前片(4)の他方の縁部(4b)及び他方のズボン前片(5)の他方の縁部(5b)には第３のファスナ(26)が連続的に設けられ、一方のズボン後片(6)の他方の縁部(6b)及び他方のズボン後片(7)の他方の縁部(7b)には第４のファスナ(27)が連続的に設けられ、第３のファスナ(26)と第４のファスナ(27)は、内側スライダ(12)により連続的に着脱できるオープンファスナである。第３のファスナ(26)、第４のファスナ(27)及び内側スライダ(12)は、第２の接合分離手段を構成する。即ち、ズボン前片(5)の他方の縁部(5b)に設けられる第３のファスナ(26)の下端に取り付けられる内側スライダ(12)内に一方のズボン後片(6)の他方の縁部(6b)に設けられる第４のファスナ(27)の一方の下端部(27a)を挿入し、内側スライダ(12)を第４のファスナ(27)に沿って第４のファスナ(27)の他方の下端部(27b)まで移動させると、一方のズボン前片(4)の他方の縁部(4b)と一方のズボン後片(6)の他方の縁部(6b)との間及び他方のズボン前片(5)の他方の縁部(5b)と他方のズボン後片(7)の他方の縁部(7b)との間を連続的に接合することができる。接合された状態で、他方の下端部(27b)から一方の下端部(27a)まで内側スライダ(12)を逆に移動させると、一方のズボン前片(4)の他方の縁部(4b)と一方のズボン後片(6)の他方の縁部(6b)との間及び他方のズボン前片(5)の他方の縁部(5b)と他方のズボン後片(7)の他方の縁部(7b)との間の接合を連続的に解除することができ、内側スライダ(12)から第４のファスナ(27)の一方の下端部(27a)を外すことにより、図２に示すように、一方のズボン前片(4)の他方の縁部(4b)と一方のズボン後片(6)の他方の縁部(6b)との間及び他方のズボン前片(5)の他方の縁部(5b)と他方のズボン後片(7)の他方の縁部(7b)との間を完全に開放することができる。このように、一方のズボン前片(4)の他方の縁部(4b)と他方のズボン前片(5)の他方の縁部(5b)とに第３のファスナ(26)を連続的に設け、一方のズボン後片(6)の他方の縁部(6b)と他方のズボン後片(7)の他方の縁部(7b)とに第４のファスナ(27)を連続的に設けて、単一の内側スライダ(12)により第３のファスナ(26)と第４のファスナ(27)とを分離可能に接合することができる。
【００２０】
一方のズボン前片(4)の他方の縁部(4b)と一方のズボン後片(6)の他方の縁部(6b)との間及び他方のズボン前片(5)の他方の縁部(5b)と他方のズボン後片(7)の他方の縁部(7b)との間を単一の内側スライダ(12)により分離可能に接合できるが、内側スライダ(12)の代わりに複数のスライダを設けてもよい。即ち、図示しないが、一方のズボン前片(4)の他方の縁部(4b)に設けられた第１の第３のファスナと、他方のズボン前片(5)の他方の縁部(5b)に設けられた第２の第３のファスナとを第３のファスナ(26)に設け、一方のズボン後片(6)の他方の縁部(6b)に設けられた第１の第４のファスナと、他方のズボン後片(7)の他方の縁部(7b)に設けられた第２の第４のファスナとを第４のファスナ(27)に設ける。また、第１の第３のファスナと第１の第４のファスナとを分離可能に接合する第１の内側スライダと、第２の第３のファスナと第２の第４のファスナとを分離可能に接合する第２の内側スライダとを内側スライダ(12)に設けてもよい。
【００２１】
図２は、他方のズボン前片(5)の一方の縁部(5a)と他方のズボン後片(7)の一方の縁部(7a)との間を縫合する接合手段により全長さに沿って分離不能に接合する例を示す。しかしながら、完全に分離しないように、必要に応じて、他方のズボン前片(5)の一方の縁部(5a)と他方のズボン後片(7)の一方の縁部(7a)との間にコンシールファスナ又は釦等の他の接合手段を設けて、スライダ又は釦により部分的に開閉してもよい。
【００２２】
また、図３に示すように、一方のズボン前片(4)の一方の縁部(4a)と一方のズボン後片(6)の一方の縁部(6a)とを分離可能に接触させて、一方のズボン前片(4)と一方のズボン後片(6)との内側に第１のファスナ(24)、第２のファスナ(25)及び上方スライダ(10)及び下方スライダ(11)を配置して、第１のファスナ(24)、第２のファスナ(25)及び上方スライダ(10)及び下方スライダ(11)が外部から見えないようにすることが、デザイン上好ましい。同様に、一方のズボン前片(4)の他方の縁部(4b)と一方のズボン後片(6)の他方の縁部(6b)とを分離可能に接触させて、一方のズボン前片(4)と一方のズボン後片(6)との内側に内側スライダ(12)、第３のファスナ(26)及び第４のファスナ(27)を配置して、これらが外部から見えないようにすることがデザイン上好ましい。
【００２３】
このように、本考案の被介護者用ズボンでは、第１の接合分離手段(10,11,24,25)及び第２の接合分離手段(12,26,27)によって一方のズボン前片(4)の一方の縁部(4a)と一方のズボン後片(6)の一方の縁部(6a)との間、一方のズボン前片(4)の他方の縁部(4b)と一方のズボン後片(6)の他方の縁部(6b)との間及び他方のズボン前片(5)の他方の縁部(5b)と他方のズボン後片(7)の他方の縁部(7b)との間を容易に接合又は分離することができる。また、接合手段に沿って前布(2)と後布(3)とを重ね又は分離することにより、前布(2)と後布(3)とを平面展開状態に開放して、被介護者用ズボンを容易に着用し又は脱衣することができる。被介護者用ズボンの着用及び脱衣を容易に行えるため、被介護者又は介護者による着脱動作又は着脱介護動作の困難性を軽減することができる。
【産業上の利用可能性】
【００２４】
介護医療分野に限らずに、日常の活動着として本考案の被介護者用ズボンを使用することもできる。
【図面の簡単な説明】
【００２５】
【図１】本考案による被介護者用ズボンの正面図
【図２】本考案による被介護者用ズボンの展開図
【図３】第１のファスナと第２のファスナとの接合状態を示す断面図
【符号の説明】
【００２６】
(1)・・被介護者用ズボン、  (2)・・前布、  (3)・・後布、  (4)・・一方のズボン前片、  (4a)・・一方の縁部、  (4b)・・他方の縁部、  (5)・・他方のズボン前片、  (5a)・・一方の縁部、  (5b)・・他方の縁部、  (6)・・一方のズボン後片、  (6a)・・一方の縁部、  (6b)・・他方の縁部、  (7)・・他方のズボン後片、  (7a)・・一方の縁部、  (7b)・・他方の縁部、  (8)・・腹連結部、  (9)・・背連結部、(10)・・上方スライダ、  (11)・・下方スライダ、  (14)・・ベルト部、  (15,16)・・接続具、
【図１】
0003111017.tif 000003
【図２】
0003111017.tif 000004
【図３】
0003111017.tif 000005